(57)【要約】【課題】収容箱の支持脚を作業者の負担なく格納位置と張出位置とに変位させることができ、また、盗難防止を図ることができる収容箱の支持脚構造を提供する。【解決手段】底面前部に支持脚１０が設けられるとともに底面後部に支持ローラ１１が設けられ、支持脚１０を底面側に折り畳んだ格納位置に配置して車輌と地上との間で積降ろしを行うとともに、支持脚１０を下方に張り出した張出位置に配置して該支持脚１０と支持ローラ１１とで支持することにより地上に設置されるようになされた収容箱１において、支持脚１０がアクチュエータ９により格納位置と張出位置とに変位自在に設けられている。支持脚１０には、張出位置から格納位置への変位を阻止する阻止手段が設けられ、阻止手段は解除手段の解除操作により解除可能に構成されている。【選択図】  図１
2005059920.tif 000002
【特許請求の範囲】
【請求項１】
底面前部に支持脚が設けられるとともに底面後部に支持ローラが設けられ、支持脚を底面側に折り畳んだ格納位置に配置して車輌と地上との間で積降ろしを行うとともに、支持脚を下方に張り出した張出位置に配置して該支持脚と支持ローラとで支持することにより地上に設置されるようになされた収容箱において、
前記支持脚がアクチュエータにより前記格納位置と張出位置とに変位自在に設けられたことを特徴とする収容箱の支持脚構造。
【請求項２】
底面前部に支持脚が設けられるとともに底面後部に支持ローラが設けられ、支持脚を底面側に折り畳んだ格納位置に配置して車輌と地上との間で積降ろしを行うとともに、支持脚を下方に張り出した張出位置に配置して該支持脚と支持ローラとで支持することにより地上に設置されるようになされた収容箱において、
前記支持脚には、張出位置から格納位置への変位を阻止する阻止手段が設けられ、阻止手段は解除手段の解除操作により解除可能に構成されたことを特徴とする収容箱の支持脚構造。
【発明の詳細な説明】
【技術分野】
【０００１】
本発明は、車輌と地上との間で積降ろし自在になされた収容箱に関し、特に収容箱の底面前部に設けられた支持脚の構造に関するものである。
【背景技術】
【０００２】
従来、底面前部に支持脚が設けられるとともに底面後部に支持ローラが設けられ、車輌に搭載された荷役装置により当該車輌の車体上と地上との間で積降ろし自在になされた収容箱が提供されている。
【０００３】
具体的には、収容箱を車体上と地上との間で積降ろす際には支持脚を底面側に折り畳んだ格納位置で行い、収容箱を地上に設置する際には支持脚を下方に張り出した張出位置にして当該支持脚と支持ローラとにより収容箱を支持するようにしている（例えば、特許文献１参照）。
【特許文献１】特開平１１−１６５５７９号公報
【発明の開示】
【発明が解決しようとする課題】
【０００４】
しかしながら、上記従来の収容箱では、作業者が手動操作によってロックピンを抜き差し操作しながら支持脚を格納位置と張出位置とに変位させてこれら各状態で固縛している。このため作業が煩雑で負担が大きく作業性が悪いという問題があった。
【０００５】
また、支持脚を張出位置から格納位置になんの規制もなく容易に操作できるとなると、収容箱の所有者や使用者でない他人でも当該収容箱を車輌に積込むことができるため、盗難にあう恐れが非常に高く何らかの対策が必要であった。
【０００６】
本発明は、上記問題点に鑑みてなされたもので、その目的とするところは、収容箱の支持脚を作業者の負担なく格納位置と張出位置とに変位させることができる収容箱の支持脚構造を提供することにある。
【０００７】
さらに、本発明の目的とするところは、他人による支持脚の張出位置から格納位置への操作を阻止することで盗難防止を図ることができる収容箱の支持脚構造を提供することにある。
【課題を解決するための手段】
【０００８】
請求項１に係る発明の収容箱の支持脚構造は、底面前部に支持脚が設けられるとともに底面後部に支持ローラが設けられ、支持脚を底面側に折り畳んだ格納位置に配置して車輌と地上との間で積降ろしを行うとともに、支持脚を下方に張り出した張出位置に配置して該支持脚と支持ローラとで支持することにより地上に設置されるようになされた収容箱において、前記支持脚がアクチュエータにより前記格納位置と張出位置とに変位自在に設けられたものである。
【０００９】
請求項２に係る発明の収容箱の支持脚構造は、底面前部に支持脚が設けられるとともに底面後部に支持ローラが設けられ、支持脚を底面側に折り畳んだ格納位置に配置して車輌と地上との間で積降ろしを行うとともに、支持脚を下方に張り出した張出位置に配置して該支持脚と支持ローラとで支持することにより地上に設置されるようになされた収容箱において、前記支持脚には、張出位置から格納位置への変位を阻止する阻止手段が設けられ、阻止手段は解除手段の解除操作により解除可能に構成されたものである。
【発明の効果】
【００１０】
本発明によれば、アクチュエータによって支持脚を格納位置と張出位置とに配置すことで、作業者による支持脚の操作が不要となり車輌と地上との間での収容箱の積降ろし作業を迅速に且つ効率良く行うことができる。
【００１１】
また、阻止手段により張出位置から格納位置への支持脚の変位を阻止することで、収容箱を車輌に積込もうとしてもこの状態では支持脚が車輌の車体などと干渉して積込むことができず、このため地上に設置された塵芥収集装置の盗難防止を確実に図ることができる。
【発明を実施するための最良の形態】
【００１２】
以下、本発明の実施の形態について図面を参照して説明する。
【００１３】
図１は、本発明の収容箱の支持脚構造の構成を示している。なお、本実施の形態では収容箱として塵芥収集が可能な塵芥収集装置を例にとって説明する。
【００１４】
この塵芥収集装置１は、塵芥収容箱２と、該塵芥収容箱２の後方開口部に枢軸２ａを以て傾動自在に連設され、前面を開放した塵芥投入箱３とを備えている。
【００１５】
前記塵芥投入箱３には、その後面に投入口３ａが開閉自在に設けられるとともに、その内部に図示しない塵芥積込装置が装備されている。塵芥積込装置は、例えば塵芥投入箱３の側面に駆動モータにより基端を中心にして回転自在に設けられた回転板と、該回転板の上方に揺動シリンダにより上部を中心にして揺動自在に設けられた押込板とで構成されており、回転板の回転動作に応じて押込板を揺動させることで、塵芥投入箱３の投入口３ａから投入された塵芥を回転板で押しつぶして圧縮した後、押込板によって塵芥収容箱２に積み込むようにしている。
【００１６】
また、前記塵芥収容箱２内には、排出板４が排出シリンダ５の伸縮動作により前後方向に摺動自在に設けられている。この排出板４は、塵芥を収容する初期の段階では後部に配置されている。そして、前記塵芥積込装置による塵芥の積込みにより排出板４に作用する前方への押圧力が所定圧以上になると徐々に前方にスライドして移動するようになされている。これにより塵芥は圧縮された状態で塵芥収容箱２内に収容される。
【００１７】
一方、塵芥収容箱２内の前部２ｂには、前述した駆動モータ、揺動シリンダ及び排出シリンダ５等を作動させるための駆動手段６が設けられている。この駆動手段６は、独立エンジン７、図示しない油圧ポンプ及び制御バルブなどを備え、独立エンジン７により油圧ポンプを駆動させて圧油を制御バルブを通じて駆動モータ、揺動シリンダ及び排出シリンダ５等に供給することで、これら駆動モータ、揺動シリンダ及び排出シリンダ５等を作動させるようにしている。
【００１８】
そして、このように構成された塵芥収集装置１は、図２に示すように荷役装置３１を備えた荷役車輌３０によりその車体３０ａ上と地上との間で積降ろし自在になされている。
【００１９】
このため、前述した塵芥収集装置１には、図１に示すように塵芥収容箱２の前面上部に後述する荷役装置３１のフック３４が係脱する係合ピン８が設けられ、また、地上に設置した際に塵芥収集装置１全体を支持するために塵芥収容箱２の底面前部に支持脚１０が、塵芥投入箱３の底面後部に支持ローラ１１が設けられている。
【００２０】
上記支持脚１０は、塵芥収容箱２に設けられたブラケット１０ａに枢軸１０ｂによって回動自在に設けられており、この回動動作よって後述する格納位置と張出位置とに変位可能になれている。
【００２１】
前記荷役装置３１は、具体的には、図２に示すように塵芥収集装置１を車体３０ａ上に搭載した状態において水平に配置される水平部３２と、同状態において垂直に配置される垂直部３３からなり、全体としてＬ字状に形成されている。
【００２２】
水平部３２は、車体３０ａの後部に回動自在に支持されたダンプフレーム３２ａを介してその後端部が回動自在に支持されている。
【００２３】
垂直部３３は、その先端に塵芥収集装置１に設けられた係合ピン８と係脱自在なフック３４が設けられている。
【００２４】
また、前記水平部３２と車体３０ａとの間には、起伏シリンダ３５が連設されており、この起伏シリンダ３５の伸縮動作により荷役装置３１がその水平部３２の後端部を中心にして前後方向に回動自在に構成されている。
【００２５】
さらに、車体３０ａの後端部には、塵芥収集装置１を当該車体３０ａと地上との間で円滑に積降ろすためのローラ３６が設けられている。
【００２６】
そして、この荷役車輌３０による塵芥収集装置１の積降ろしは、まず、図示はしないが車体３０ａ上に塵芥収集装置１を搭載した状態で、起伏シリンダ３５により荷役装置３１を上方に回動させて塵芥収集装置１を傾動させながら、当該荷役装置３１を後方に回動させることで、塵芥収集装置１を図２に示すように車体３０ａ上から地上に降ろして設置することができる。また、上述と逆の動作により地上に設置している塵芥収集装置１を車体３０ａ上に積込むことができる。
【００２７】
この際、塵芥収集装置１の支持脚１０は、地上に設置する際には折り畳んだ格納位置から図１及び図２に示すように下方に張り出した張出位置に配置して当該支持脚１０と支持ローラ１１とが地上に接地することによって塵芥収集装置１を略水平状態に支持し、また、車体３０ａ上と地上とで積降ろす際には図１に二点鎖線で示すように折り畳んた格納位置に配置して支持脚１０が車体３０ａなどと干渉しないようにしている。
【００２８】
ところで、支持脚１０を上述のように格納位置と張出位置とに変位させる動作は、アクチュエータとしての電動式や油圧式などの伸縮シリンダ９の伸縮動作によって行っている。具体的には、伸縮シリンダ９は、基端部が塵芥収容箱２の底面に枢支されるとともに、伸縮ロッド９ａの先端が支持脚１０の途中部に枢支され、当該伸縮シリンダ９の伸長動作により支持脚１０を格納位置から張出位置に配置するとともに、伸縮シリンダ９の縮退動作により支持脚１０を張出位置から格納位置に配置するようにしている。
【００２９】
従って、塵芥収集装置１を目的地で車体３０ａから地上に降ろして設置する際には、支持脚１０を格納位置のままで先ず塵芥収集装置１を荷役装置３１によって地上に降ろして行き、塵芥収集装置１の前部がやや高く傾斜した状態で伸縮シリンダ９を伸長作動させて支持脚１０を格納位置から張出位置に配置する。そして、この後に塵芥収集装置１を完全に地上に降ろすことで支持脚１０と支持ローラ１１とで支持した略水平な状態で塵芥収集装置１を地上に設置する。
【００３０】
また、塵芥収集装置１を地上から荷役車輌３０に積込む際には、まず、荷役装置３１のフック３４を係合ピン８に係合させて当該荷役装置３１により塵芥収集装置１の前部をやや持ち上げて傾斜させた状態で伸縮シリンダ９を縮退作動させて支持脚１０を張出位置から格納位置に配置する。そして、この後に荷役装置３１によって塵芥収集装置１を車体３０ａ上に積込む。
【００３１】
このように伸縮シリンダ９の伸縮作動によって支持脚１０を格納位置と張出位置とに配置しながら塵芥収集装置１を積降ろすことで、作業者による支持脚１０の操作が不要となり積降ろし作業を迅速に且つ効率良く行うことができる。
【００３２】
また、上述した伸縮シリンダ９の伸縮作動操作は、支持脚１０の近くの例えば塵芥収容箱２の前面適所に設けたスイッチ（図示省略）の操作によって行えばよい。
【００３３】
この際、例えばキーを差し込まない限りスイッチ操作できないようにしておくことで、地上に設置した塵芥収集車１の盗難を防止することができる。つまり、キーにより操作しない限り支持脚１０を張出位置から格納位置に配置することができないので、この張出位置の状態で塵芥収集装置１を荷役車輌３０に積込もうとしても支持脚１０が車体３０ａなどと干渉して積込むことができず、これによって地上に設置された塵芥収集装置１の盗難防止を確実に図ることができる。
【００３４】
なお、地上に設置した塵芥収集装置１は単独で塵芥を塵芥収容箱２に収容することができる。具体的には、塵芥投入箱３に投入口３ａを通じて塵芥を投入し、駆動手段６により塵芥積込装置を作動させることで、塵芥を塵芥収容箱２に積込んでいく。
【００３５】
そして、塵芥収容部２ｃの塵芥が満杯等になると塵芥収集装置１を上述のようにして荷役車輌３０に積込んで処理場に運搬して塵芥を廃棄する。具体的には、まず、塵芥投入箱３を上方に傾動させて塵芥収容箱２の後部を開口させる。この後、前述した塵芥の収容により前部に配置された排出板４を後方に移動させることにより、塵芥収容部２ｃ内の塵芥をこの排出板４の押出作用によって後部開口から排出する。
【００３６】
図３は、収容箱の支持脚構造の他の実施の形態を示している。
【００３７】
この支持脚構造は、支持脚１０に張出位置から格納位置への変位を阻止する阻止手段が設けられている。
【００３８】
阻止手段は、支持脚１０の張出位置から格納位置側への回動を阻止する阻止ピン１２と、固縛フック１３とを備えている。
【００３９】
阻止ピン１２は、支持脚１０を回動自在に支持する左右の一対のブラケット１０ａに抜き差し自在に設けられている。具体的には、支持脚１０が張出位置に配置した状態で阻止ピン１２を左右のブラケット１０ａに形成された通孔に差し込んだ際には、阻止ピン１２が支持脚１０の基端部の格納側（図３では右側）に近接して配置され、支持脚１０を格納側に回動させようとすると当該支持脚１０が阻止ピン１２に当接することによってその回動を阻止するようにしている。従って、左右のブラケット１０ａは阻止ピン１２が上記の位置で抜き差しできるような大きさに形成されている。
【００４０】
また、阻止ピン１２にはその外側端部に上述した抜き差しをし易いように把持部１２ａが連設されている。
【００４１】
固縛フック１３は、上記ブラケット１０ａに差し込んだ阻止ピン１２をこの状態で固縛するためのもので、基端部が回動自在に支持されるとともに、図４に示すように先端フック部１３ａが基端部を中心とする回動により阻止ピン１２に形成された係止溝１２ｂに係脱自在に構成されている。
【００４２】
具体的には、表側のブラケット１０ａには鍵穴を有するロック装置１４が当該鍵穴側を外側にして設けられるとともに、当該ロック装置１４に左右のブラケット１０ａ内に配置された回動軸１５（図４参照）の外側端部が連結され、この回動軸１５に前記固縛フック１３の基端部が一体的に設けられている。
【００４３】
ロック装置１４は、鍵穴に差し込んた鍵１４ａを回すことで回動軸１５を回動させることができるようになされており、この回動軸１５の回動によって固縛フック１３を回動させて先端フック部１３ａを阻止ピン１２の係止溝１２ｂに係脱させるようにしている。
【００４４】
従って、鍵穴と合致する鍵１４ａを当該鍵穴に差し込まない限り先端フック部１３ａと係止溝１２ｂとの係脱を行うことができない。即ち、阻止ピン１２をブラケット１０ａ間に差し込んた状態で先端フック部１３ａと係止溝１２ｂとを係止させて固縛フック１３により阻止ピン１２を固縛しておけば、鍵１４ａによりロック装置１４を解除操作（解除手段による解除操作）して固縛フック１３を離脱（解除）側に回動させない限り、支持脚１０を格納位置には配置することができないことなる。なお、支持脚１０を格納位置と張出位置とに変位させる動作はアクチュエータなどにより機械的に行ってもよいし、手動で行ってもよい。
【００４５】
このように支持脚１０を張出位置で固縛しておけば、塵芥収集装置１を荷役車輌３０に積込もうとしてもこの状態では支持脚１０が車体３０ａなどと干渉するために積込むことができず、これによって地上に設置された塵芥収集装置１の盗難防止を確実に図ることができる。
【００４６】
なお、上述した実施形態は、あくまでも本発明の好適な実施態様を示すものであって、本発明はこれに限定されることなく、その範囲内において種々設計変更可能である。
【００４７】
例えば、収容箱として塵芥収集装置１を例にとって説明したが、これに限らず荷役車輌３０に積込む際に格納位置に配置する必要がある支持脚１０を有するコンテナのようなものであればよい。
【００４８】
また、支持脚１０を格納位置と張出位置とで変位させるためのアクチュエータは伸縮シリンダに限らず電動モータなどであってもよい。
【図面の簡単な説明】
【００４９】
【図１】本発明の収容箱の支持脚構造を塵芥収集装置を例に採って示す側面図である。
【図２】同じく塵芥収集装置の積降ろし動作を説明するための側面図である。
【図３】支持脚の阻止手段の構成を示す斜視図である。
【図４】阻止ピンの係止溝と固縛フックとを示す拡大の斜視図である。
【符号の説明】
【００５０】
１  塵芥収集装置（収容箱）
９  伸縮シリンダ（アクチュエータ）
１０  支持脚
１１  支持ローラ
１２  阻止ピン
１３  固縛フック
１４  ロック装置
１４ａ  鍵
【図１】
2005059920.tif 000003
【図２】
2005059920.tif 000004
【図３】
2005059920.tif 000005
【図４】
2005059920.tif 000006